(57)【要約】【目的】あんま・マッサージ・指圧・はり・きゅう等を行うサービスを提供する業者が各患者宅でのサービスの提供記録を正確に取得して、監督官庁に提出する「療養費支給申請書」などの帳票の信用性を高めることができる、あんま・マッサージ・指圧・はり・きゅう等の施術管理システムを提供する。【構成】各患者宅を訪問するあんま・マッサージ・指圧・はり・きゅう等の施術者が携帯する携帯型情報端末と、前記施術者を管理する事務所に設置されるコンピュータと、各患者宅に備えられたＩＣメモリを含むＩＤ保持手段とから構成されている。前記携帯型情報端末は、前記ＩＤ保持手段からの患者ＩＤを無線で読み取って、この読み取った患者ＩＤがスケジュール情報の中の患者ＩＤと一致するかどうかを判定し、一致するとき、前記ＩＤ保持手段に訪問日時を無線で書き込むようにしている。また、前記コンピュータは、前記携帯型情報端末からの各日毎の訪問実績データを読み取って記録し、この読み取った訪問実績データに基づいて医療費支給のための申請書などの帳票を出力するようにしている。【選択図】    図１
2004272727.tif 000002
【特許請求の範囲】
【請求項１】
各患者宅を訪問するあんま・マッサージ・指圧・はり・きゅう等の施術者が携帯する携帯型情報端末と、前記施術者を管理する事務所に設置されるコンピュータと、各患者宅に備えられたＩＣメモリを含むＩＤ保持手段とから構成される、あんま・マッサージ等の施術管理システムであって、
前記携帯型情報端末は、
前記コンピュータからの情報を受信して、各日毎の施術すべき患者の氏名及びＩＤを含むスケジュール情報を記録するためのスケジュール記録手段と、
前記ＩＤ保持手段からの患者ＩＤを無線で読み取るためのＩＤ読み取り手段と、
前記ＩＤ保持手段から読み取った患者ＩＤが前記スケジュール情報の中の患者ＩＤと一致するかどうかを判定するための一致判定手段と、
現在の日時情報を出力するための計時手段と、
前記一致判定手段からの出力に基づいて前記ＩＤ保持手段に前記計時手段からの訪問日時を無線で書き込むための訪問日時書き込み手段と、
各患者宅を訪問したときの訪問日時を含む実績データを記録するための実績データ記録手段とを含み、
前記ＩＤ保持手段は、
各患者ＩＤを記録しておくためのＩＤ記録領域と、
前記携帯型情報端末から無線送信される訪問日時を記録するための訪問日時記録領域とを含み、
前記コンピュータは、
各日毎のスケジュール情報を前記携帯型情報端末に入力するためのスケジュール入力手段と、
前記携帯型情報端末からの各日毎の実績データを読み取って記録するための実績データ読み取り記録手段と、
前記の読み取った実績データに基づいて医療費支給のための申請書などの帳票を出力するための帳票出力手段とを含む、
ことを特徴とする、あんま・マッサージ・指圧・はり・きゅう等の施術管理システム。
【請求項２】
請求項１において、
前記携帯型情報端末は、
前記施術者がいずれかのボタンを押すだけで、前記ＩＤ保持手段との間での情報のやり取りと、前記コンピュータとの間での情報のやり取りとが実行可能な状態、すなわち、
（ａ）近傍に前記ＩＤ保持手段が存在するときは、前記ＩＤ保持手段からの患者ＩＤの読み取り動作及び前記ＩＤ保持手段への訪問日時の書き込み動作を実行し、
（ｂ）前記コンピュータが電気的に接続されたときは、前記コンピュータからの前記スケジュール情報を受信し記録する動作及び前記コンピュータに前記実績データを送信する動作を実行する、
ことが可能な状態に移行するようになっている、ことを特徴とする、あんま・マッサージ・指圧・はり・きゅう等の施術管理システム。
【請求項３】
各患者宅を訪問するあんま・マッサージ・指圧・はり・きゅう等の施術者が携帯する携帯型情報端末と、前記施術者を管理する事務所に設置されるコンピュータと、各患者宅に備えられた患者ＩＤを表示又は記録したＩＤ保持手段とを含むあんま・マッサージ・指圧・はり・きゅう等の施術管理システムであって、
前記携帯型情報端末は、
前記コンピュータからの情報を受信して、各日毎の施術すべき患者の氏名及びＩＤを含むスケジュール情報を記録するためのスケジュール記録手段と、
前記ＩＤ保持手段に表示又は記録された患者ＩＤを読み取るためのＩＤ読み取り手段と、
前記ＩＤ保持手段から読み取った患者ＩＤが前記スケジュール情報の中の患者ＩＤと一致するかどうかを判定するための一致判定手段と、
訪問した患者宅での現在位置データを取得するための現在位置取得手段と、
現在の日時情報を出力するための計時手段と、
前記一致判定手段、前記現在位置所得手段、及び前記計時手段からの出力に基づいて、訪問している患者宅の患者ＩＤとその患者宅の現在位置とその訪問日時とを含む実績データを、公衆無線回線網を介して前記コンピュータに送信する実績データ送信手段とを含み、
前記コンピュータは、
各日毎のスケジュール情報を前記携帯型情報端末に入力するためのスケジュール入力手段と、
前記携帯型情報端末から無線送信された各患者毎の実績データを受信して記録するための実績データ受信記録手段と、
前記実績データに基づいて医療費支給のための申請書などの帳票を出力するための帳票出力手段とを含む、
ことを特徴とする、あんま・マッサージ・指圧・はり・きゅう等の施術管理システム。
【請求項４】
請求項３において、前記ＩＤ保持手段は、患者ＩＤを示すバーコード又は２次元コードを表示したものである、ことを特徴とする、あんま・マッサージ・指圧・はり・きゅう等の施術管理システム。
【発明の詳細な説明】
【０００１】
【発明の属する技術分野】
本発明は、施術者を各患者宅に派遣して、あんま・マッサージ・指圧・はり・きゅう等を行うサービスを提供する業者が、各患者宅でのサービスの提供記録を正確に取得することができる、あんま・マッサージ・指圧・はり・きゅう等の施術管理システムに関する。
【０００２】
【従来の技術】
従来より、施術者（視力障害者が多い）が患者宅を訪問してあんま・マッサージ・指圧・はり・きゅう等を行うサービスが自治体の政策により行われている。このようなサービスは、概ね次のような仕組みで運営されている。すなわち、複数の施術者を擁する事業者が、各患者（利用者）と契約して注文を取る。事業者は雇用又は委託している施術者を各患者宅に派遣して、各患者宅で、あんま・マッサージ等のサービスを提供させる。事業者は、毎朝、事務所で各施術者にその日の複数の患者宅への訪問・施術スケジュールを紙などに印刷して渡し、各施術者はそのスケジュールに沿って患者宅を訪問して施術する。各施術者がその日のスケジュールを終えると、事業者の事務所に帰って、その日の訪問実績を紙で提出するかコンピュータに入力する。
【０００３】
事業者は、各施術者からの訪問実績をまとめて、１ヶ月毎に「療養費支給申請書」を作成し、自治体や所轄官庁に提出する。この「療養費支給申請書」で申請される「療養費」は、自治体や所轄官庁が事業所に対して支給する療養費である。前記「療養費支給申請書」には、この療養費を決定するために必要な事項、例えば、各患者へのサービス内容とそのサービス提供回数（各患者宅への訪問回数とほぼ一致する）、各患者宅までの交通費（患者宅までの移動距離で代替されることがある）などが記載されるようになっている。
【０００４】
ところで、前記「療養費支給申請書」による療養費の支給制度は、あんま・マッサージ・指圧・はり・きゅう等を必要とする障害者や高齢者などの福祉増進という公共目的のために定められたものであるが、実際には、この「療養費支給申請書」の中で、各患者への訪問回数（訪問実績）が正確に記載されているかどうかが自治体などの監督官庁との間で問題となることが少なくない。実際に正確でない場合も存在しうるが、他方、実際には正確であってもそれを事業者側が有効に証明できない場合も多い。
【０００５】
このような事業者が提供したサービスの実績を正確に記録するための方法として、他の事業分野では、例えば、仲介業者が顧客のサービス受領状態を検知してその検知結果をネットワーク経由で収集・記録する生活サポートサービスの仲介システムなどが提案されている（例えば、特許文献１参照）。しかし、これはガス・電気・水道などのような電子的に検知が可能なサービスに関するものであり、あんま・マッサージ等の人的・肉体的サービスの提供の実績の正確な記録についてはそのまま適用することができない。
【特許文献１】
特開２００１−３３８０４３公報
【０００６】
【発明が解決しようとする課題】
本発明はこのような従来技術の問題点に着目してなされたものであって、あんま・マッサージ・指圧・はり・きゅう等を行うサービスを提供する業者が各患者宅でのサービスの提供記録を正確に取得して、監督官庁に提出する「療養費支給申請書」などの帳票の信用性を高めることができる、あんま・マッサージ・指圧・はり・きゅう等の施術管理システムを提供することを目的とするものである。
【０００７】
【課題を解決するための手段】
このような従来技術の課題を解決するための本発明は、各患者宅を訪問するあんま・マッサージ等の施術者が携帯する携帯型情報端末と、前記施術者を管理する事務所に設置されるコンピュータと、各患者宅に備えられたＩＣメモリを含むＩＤ保持手段とから構成される、あんま・マッサージ・指圧・はり・きゅう等の施術管理システムであって、前記携帯型情報端末は、現在の日時情報を出力する計時手段と、前記コンピュータからの情報を受信して、各日毎の施術すべき患者の氏名及びＩＤを含むスケジュール情報を記録するためのスケジュール記録手段と、前記ＩＤ保持手段からの患者ＩＤを無線で読み取るためのＩＤ読み取り手段と、前記ＩＤ保持手段から読み取った患者ＩＤが前記スケジュール情報の中の患者ＩＤと一致するかどうかを判定するための一致判定手段と、前記一致判定手段からの出力に基づいて前記ＩＤ保持手段に前記計時手段からの訪問日時を無線で書き込むための訪問日時書き込み手段と、各患者宅を訪問したときの訪問日時を含む訪問実績データを記録するための訪問実績データ記録手段とを含み、前記ＩＤ保持手段は、各患者ＩＤを記録しておくためのＩＤ記録領域と、前記携帯型情報端末から無線送信される訪問日時を記録するための訪問日時記録領域とを含み、前記コンピュータは、各日毎のスケジュール情報を前記携帯型情報端末に入力するためのスケジュール入力手段と、前記携帯型情報端末からの各日毎の訪問実績データを読み取って記録するための訪問実績データ読み取り記録手段と、前記の読み取った訪問実績データに基づいて医療費支給のための申請書などの帳票を出力するための帳票出力手段とを含む、ことを特徴とする、あんま・マッサージ・指圧・はり・きゅう等の施術管理システム。
【０００８】
また、本発明のあんま・マッサージ・指圧・はり・きゅう等の施術管理システムにおいては、前記携帯型情報端末は、前記施術者がいずれかのボタンを押すと、電源がＯＮされ、前記ＩＤ保持手段との間での情報のやり取りと、前記コンピュータとの間での情報のやり取りとが実行可能な状態、すなわち、（ａ）近傍に前記ＩＤ保持手段が存在するときは、前記ＩＤ保持手段からの患者ＩＤの読み取り動作及び前記ＩＤ保持手段への訪問日時の書き込み動作を実行し、（ｂ）前記コンピュータが電気的に接続されたときは、前記コンピュータからの前記スケジュール情報を受信し記録する動作及び前記コンピュータに前記実績データを送信する動作を実行する、ことが可能な状態に移行するようになっている、ことが望ましい。
【０００９】
また、本発明のあんま・マッサージ・指圧・はり・きゅう等の施術管理システムにおいては、各患者宅を訪問するあんま・マッサージ等の施術者が携帯する携帯型情報端末と、前記施術者を管理する事務所に設置されるコンピュータと、各患者宅に備えられた患者ＩＤを表示又は記録したＩＤ保持手段とを含むあんま・マッサージ・指圧・はり・きゅう等の施術管理システムであって、前記携帯型情報端末は、前記コンピュータからの情報を受信して、各日毎の施術すべき患者の氏名及びＩＤを含むスケジュール情報を記録するためのスケジュール記録手段と、前記ＩＤ保持手段に表示又は記録された各患者ＩＤを読み取るためのＩＤ読み取り手段と、前記ＩＤ保持手段から読み取った患者ＩＤが前記スケジュール情報の中の患者ＩＤと一致するかどうかを判定するための一致判定手段と、訪問した患者宅での現在位置データを取得するための現在位置取得手段と、現在の日時情報を出力する計時手段と、前記一致判定手段、前記現在位置所得手段、及び前記計時手段からの出力に基づいて、訪問している患者宅の現在位置とその患者ＩＤと訪問日時とを含む訪問実績データを、公衆無線回線網を介して前記コンピュータに送信する訪問実績データ送信手段とを含み、前記コンピュータは、各日毎のスケジュール情報を前記携帯型情報端末に入力するためのスケジュール入力手段と、前記携帯型情報端末から無線送信された各患者毎の訪問実績データを受信して記録するための訪問実績データ受信記録手段と、前記訪問実績データに基づいて医療費支給のための申請書などの帳票を出力するための帳票出力手段とを含む、ことを特徴とするものである。
【００１０】
さらに、本発明のあんま・マッサージ・指圧・はり・きゅう等の施術管理システムにおいては、前記ＩＤ保持手段は、患者ＩＤを示すバーコード又は２次元コードを表示したものである、ことが望ましい。
【００１１】
【発明の実施の形態】
（実施形態１）  図１は本発明の実施形態１によるあんま・マッサージ・指圧・はり・きゅう等の施術管理システムの構成を説明するための概念ブロック図である。図１において、１は事業者の事務所に設置された事業者側パソコン、２は各患者宅に備えられたＩＣメモリを搭載した患者側ＩＤタグ、３は各患者宅を訪問してあんま・マッサージ等を施術する施術者が携帯する施術者側ＰＤＡ（携帯型情報端末）、である。
【００１２】
また、図１において、１１は前記パソコン１に搭載されたＣＰＵ（中央処理装置）などで構成される制御部、１２はキーボードなどで構成され各施術者の当日（各日毎）の各患者宅への訪問スケジュールを入力するためのスケジュール入力部（キーボードなどで構成されている）、１３はハードディスクなどで構成され前記スケジュール入力部から入力されたスケジュールを記録するためのスケジュール記録部、１４はハードディスクなどで構成され各施術者が各患者宅を訪問・施術した実績を示す実績データ（後述のように、この実績データは、各施術者が携帯するＰＤＡ２に保存されている）を記録するための訪問実績記録部である。また、１５は、ワープロソフトやプリンタなどで構成され前記訪問実績記録部１４に記録された実績データに基づいて、例えば、老人保険医療費支給申請書、利用者毎・施術者毎の訪問実績一覧表、患者（利用者）情報一覧表、施術者情報一覧表などの各種帳票を作成し出力するための帳票作成部である。また、１６は、前記スケジュール記録部１３、訪問実績記録部１４、及び帳票作成部１５で記録又は作成された情報を、外部機器との間でアクセスポイント１７を介して無線でやり取りするための無線ＬＡＮ子機（無線ＬＡＮカードなどで構成される）である。
【００１３】
また、図１において、２１はＩＤタグ２に内蔵されたＩＣメモリの一部であって各患者のＩＤを記録しておくための患者ＩＤ記録部、２２は前記ＩＣメモリの一部であって各施術者が自分が患者宅を訪問・施術した日時を書き込むための訪問日時記録部、２３は前記患者ＩＤ記録部２１の情報を外部へ送信するため、及び、前記訪問日時記録部２２への書き込み用に外部から送信されてきた情報を受信するための送受信アンテナである。
【００１４】
また、図１において、３１は前記ＰＤＡ３に搭載されたＣＰＵなどで構成される制御部、３２は各施術者のその日の訪問すべき患者宅（複数）とその順路などのスケジュールを記録するためのスケジュール記録部、３３は毎日の日付及び時刻情報を発生する計時部、３４は各施術者が患者宅を訪問し施術した実績データを記録するための訪問実績記録部である。前記訪問実績記録部３４には、各施術者が、各患者宅を訪問したき、その患者のＩＤと訪問日時などの情報を、実績データとして書き込む。また、３５は患者宅に備えられたＩＤタグ２に記録された患者ＩＤを非接触で読み取ると共に、施術者が訪問日時などの情報を非接触で書き込むためのＩＤタグ２用のリーダーライターである。また、３６は、前記事務所側パソコン１のスケジュール入力部１２で入力されスケジュール記録部１３に記録された各施術者毎のその日のスケジュール情報を前記アクセスポイント１７経由で無線で取り込むと共に、前記ＰＤＡ３の訪問実績記録部３４に記録されたその日の訪問実績データを前記アクセスポイント１７経由で前記事務所側パソコン１に無線で送信するための無線ＬＡＮ子機である。
【００１５】
次に、本実施形態１の動作を図２及び図３を参照して説明する。事業所では、毎日、各施術者がその日に訪問すべき複数の患者の氏名、ＩＤ、訪問順路などのスケジュール情報を入力する。各施術者は、この入力されたスケジュール情報を、事務所のパソコン１から自分が携帯するＰＤＡ３に無線ＬＡＮ経由で取り込んでそのスケジュール記録部３２に記録させた後に、各患者宅への訪問・施術に出かける。
【００１６】
各患者宅では、患者のベッドの近傍に、予め事業者が発行したＩＤタグ（ＩＣタグ。カード状の場合もある）が配置されている（例えば、ＩＤタグが、袋などに入れられて、壁に吊るされていたり、枕元に置かれている）。各施術者は、各患者宅で、まず、自分が携帯しているＰＤＡ３の電源をＯＮさせて、ＩＤタグ２の情報を読み取り可能にする。そして、前記ＩＤタグ２を前記ＰＤＡ３に数センチメートルまで近づけて、前記ＰＤＡ３のタグリーダーライター３５により、前記ＩＤタグ２の患者ＩＤ記録部２１に記録されている患者ＩＤを無線により非接触で読み取る。
【００１７】
前記ＰＤＡ３の制御部３１は、この読み取った患者ＩＤを、前記ＰＤＡ３のスケジュール記録部３２に記録されている患者ＩＤと照合する。そして、両者が一致しているときは、その患者宅を訪問した日時情報を前記計時部３３から取り出して、その訪問日時及び施術者情報（施術者の氏名又はＩＤ）を、前記タグリーダーライター３５により、前記患者側ＩＤタグ２の訪問日時記録部２２に無線により非接触で書き込む。また、このとき、前記ＰＤＡ３は、前記の患者ＩＤ及び訪問日時を、あんま・マッサージ等の訪問・施術の実績データとして、訪問実績記録部３４に書き込む。
【００１８】
このような患者宅の訪問及びそこでのあんま・マッサージ等の施術を複数箇所で行った後、各施術者が事務所に帰ると、各施術者は、携帯しているＰＤＡ３の電源をＯＮにして、事務所側パソコン１と無線ＬＡＮ経由で情報のやり取りが可能な状態にさせる。そして、パソコン１からの指令により、ＰＤＡ３の訪問実績記録部３４に記録されたその日の訪問施術実績データをパソコン１に無線送信する。
【００１９】
パソコン１の制御部１１は、この無線送信された実績データを訪問実績記録部１４に記録する。また、パソコン１の制御部１１は、この訪問実績記録部１４に記録された訪問施術実績データに基づいて、例えば、当月の老人保険医療費支給申請書、実績一覧表（患者毎、施術者毎）、患者（利用者）情報一覧表、施術者情報一覧表などの帳票をプリンタ１ａから出力させる。図４は、これらの帳票の一つである当月の老人保険医療費支給申請書（あんま・マッサージ施術分）の一例を示す図である。
【００２０】
次に、図５は本実施形態１で使用するＰＤＡ３の一例を示す図である。本実施形態１のＰＤＡ３は、視覚障害者用に、複数のボタンの中のどのボタンを押しても、電源がＯＮされて、ＩＤタグとの間での無線による非接触での読み取り・書き込みが可能な状態になると共に、パソコンとの間での無線ＬＡＮによる情報のやり取りが可能な状態になるように、予め構成されている。これは、あんま・マッサージ施術者の中には視覚障害者が多いので、視覚障害者でもＰＤＡ３を容易に操作できるようにするための工夫である。
【００２１】
すなわち、本実施形態１のＰＤＡ３を使用する施術者である視覚障害者は、自分が携帯しているＰＤＡ３に備えられている複数のボタンの中のどれかのボタンを押すだけで、ＰＤＡ３の電源がＯＮされて、ＩＤタグ２との交信とパソコン１との交信が可能な状態になる。よって、施術者である視覚障害者がＰＤＡ３のどれかのボタンを押した場合で近くに患者側ＩＤタグ２があるときは、ＰＤＡ３の制御部３１により、ＩＤタグ２からの患者ＩＤの読み取り、読み取った患者ＩＤとスケジュール情報の中の患者ＩＤとの照合、ＩＤタグ２への訪問日時情報の書き込み、ＰＤＡ内の訪問実績記録部３４への実績データの書き込み、などの動作が自動的に行われる。また、施術者である視覚障害者がＰＤＡ３のどれかのボタンを押した場合で近くに事務所側パソコン１があるときは、パソコン１の制御部１１及びＰＤＡ３の制御部３１により、ＰＤＡ３の訪問実績記録部３４に記録された実績データのパソコン１への無線送信が自動的に行われる。
【００２２】
以上に説明したように、本実施形態１によれば、各施術者が各患者宅を訪問したときに、各患者宅のＩＤタグ２から患者ＩＤを読み取って、それがＰＤＡ３に記録されたスケジュール情報中の患者ＩＤと一致するとき、訪問日時や施術者の情報を前記ＩＤタグ２に書き込むと共に、ＰＤＡ３の訪問実績記録部３４に実績データを書き込むようにしている。よって、本実施形態１によれば、実際には訪問・施術していないのに事務所側パソコン１の中に訪問・施術したという実績データが誤って記録されてしまうという不都合を防ぐことができると共に、各患者宅に備えられたＩＤタグ２に各施術者の訪問・施術の実績の記録が確実に残されるので、パソコン１に記録された実績データ（さらに、このパソコン１によって出力された老人保険医療費支給申請書などの帳票の内容）が正確なものかどうかを検証することが可能になる。
【００２３】
また、本実施形態１においては、前記ＰＤＡ３を、複数のボタンの中のどれかを押すだけで、近傍（例えば、数センチメートル内）のＩＤタグ２との間での非接触の交信が可能で、且つ、近傍（例えば、数十メートル内）のパソコン２との間で無線ＬＡＮによる交信が可能な状態に移行するようにしているので、あんま・マッサージ施術者に多い視覚障害者でも、患者宅と事務所でのＰＤＡ３の操作が極めて容易に行えるようになる。
【００２４】
（実施形態２）  次に、図６は本発明の実施形態２によるあんま・マッサージ・指圧・はり・きゅう等の施術管理システムの構成を説明するための概念ブロック図である。図６において、１は事業者の事務所に設置された事務所側パソコン、４は各患者宅に備えられた各患者ＩＤを示すバーコードを表面に表示した患者側ＩＤカード、５は各患者宅を訪問してあんま・マッサージ等を施術する施術者が携帯する携帯電話、６は公衆携帯電話網である。
【００２５】
また、図６において、１１は前記パソコン１に搭載されたＣＰＵ（中央処理装置）などで構成される制御部、１２はキーボードなどで構成され各施術者の各日毎の各患者宅への訪問スケジュールを入力するためのスケジュール入力部（キーボードなどで構成されている）、１３はハードディスクなどで構成され前記スケジュール入力部から入力されたスケジュールを記録するためのスケジュール記録部、１４はハードディスクなどで構成され各施術者が各患者宅を訪問した実績（後述のように、この実績データは、各施術者が携帯する携帯電話５から随時無線送信される）を記録するための訪問実績記録部である。また、１５は、ワープロソフトやプリンタなどで構成され前記訪問実績記録部１４に記録された訪問実績データに基づいて、例えば、老人保険医療費支給申請書、利用者毎・施術者毎の訪問実績一覧表、患者（利用者）情報一覧表、施術者情報一覧表などの各種帳票を作成し出力するための帳票作成部である。また、１７は、外部と情報を送受信するための送受信部である。
【００２６】
また、図１において、５１は携帯電話５に搭載されたＣＰＵなどで構成される制御部、５２は各施術者のその日の訪問すべき患者（複数人）と順路などのスケジュールを記録するためのスケジュール記録部、５３は毎日の日付及び時刻情報を発生する計時部、５４は携帯電話５の現在位置を取得するためのＧＰＳ（グローバルポジショニングシステム）受信機、５５は前記ＩＤカード４に表示された患者ＩＤを示すバーコードを光学的に読み取るためのバーコードリーダ、５６は前記バーコードリーダ５５で読み取った患者ＩＤ、前記計時部５３からの現在日時、及び、前記ＧＰＳ受信機５４からの現在位置データなどを公衆携帯電話網６を介して外部に電子メールなどで無線送信するための送受信部である。
【００２７】
次に、本実施形態２の動作を説明する。本実施形態２の動作は、その多くは前述した実施形態１の動作と同様であるので、実施形態１と異なる部分を中心に説明する。前述のように、本実施形態１では、施術者が携帯するＰＤＡ３が、訪問日時情報を患者側ＩＤタグ２に書き込むようにし、これにより、訪問・施術実績データの信用性を確保するようにしていた。これに対して、本実施形態２では、患者宅には、ＩＤタグ２は備えておらず、患者ＩＤのバーコードを示すＩＤカード４が備えられているだけなので、患者側のＩＤカード４に訪問・施術の記録を残すことはできない。しかし、本実施形態２では、その代わりに、携帯電話５に現在位置データを取得するためのＧＰＳ受信機５４を備え、施術者が患者宅を訪問したとき、その患者宅での現在位置（患者宅の位置）データを患者ＩＤ及び訪問日時データと共に、事務所側パソコン１に電子メールにより無線送信するようにしている。
【００２８】
すなわち、本実施形態２では、施術者が各患者宅に着いたとき、まず、患者宅に備えられたＩＤカード４に表示されたバーコードを携帯電話５に装着したバーコードリーダ５５により読み取り、その患者のＩＤを取得する。次に、携帯電話５内の制御部５１は、この読み取った患者ＩＤとスケジュール記録部５２に記録されている訪問すべき患者の患者ＩＤとを照合する。そして、両者が一致するきは、その患者ＩＤ、前記計時部５３からの訪問日時、及び前記ＧＰＳ受信機５４からの現在位置（患者宅の位置）の情報を、パケット通信又は電子メールにより事務所側パソコン１に無線送信する。この場合の送信先は、パケット通信又は電子メールの専用アドレスに設定されているので、事務所側パソコン１では、前記の各情報を受信すると、自動的にそれらの各情報を訪問実績記録部１４のデータベースの各項目に割り振って記録するようにしている。以上の点を除いては、本実施形態２の動作は実施形態１とほぼ同様であるので説明を省略する。なお、本実施形態２では、前述のように、患者ＩＤ、前記計時部５３からの訪問日時、及び前記ＧＰＳ受信機５４からの現在位置（患者宅の位置）の情報は、パケット通信又は電子メールにより事務所側パソコン１に無線送信し事務所側パソコン１に保存するので、携帯電話５には保存しないようにしているが、事務所側パソコン１での保存と並行して携帯電話５側でも保存するようにしてもよい。
【００２９】
以上に説明したように、本実施形態２では、施術者が患者宅を訪問したとき、患者宅にあるＩＤカード４から患者ＩＤを読み取って、それがスケジュール記録部５２に記録されたものと一致するとき、その患者ＩＤ、前記計時部５３からの訪問日時、及び前記ＧＰＳ受信機５４からの現在位置（患者宅の位置）の情報を事務所側パソコン１に無線送信して事務所側パソコン１で保存するようにしているので、実施形態１と同様に、施術者が実際には訪問・施術していないのに訪問・施術したという実績データが事務所側パソコン１の中に記録されてしまうという不都合を防止でき、事務所側パソコン１から出力される老人保険医療費支給申請書などの帳票の信用性を高めることができる。
【００３０】
なお、前記の実施形態２では、患者宅に患者ＩＤを示すバーコードを表示したＩＤカード４を備えるようにしているが、本発明では、患者のＩＤや健康情報などを示す２次元コードを表示したＩＤカードを使用してもよい（この場合は、バーコードリーダに代えて、２次元コードリーダを使用する）し、患者ＩＤを記録したＩＣメモリを搭載したＩＤカードを使用する（この場合は、バーコードリーダに代えて、ＩＤタグリーダを使用する）ようにしてもよい。
【００３１】
【発明の効果】
以上に説明したように、本発明によれば、各施術者が各患者宅を訪問したときに、各患者宅のＩＤタグなどのＩＤ保持手段から患者ＩＤを読み取って、それがＰＤＡなどの携帯型情報端末に記録されたスケジュール情報中の患者ＩＤと一致するとき、訪問日時や施術者の情報を前記ＩＤ保持手段に書き込むと共に、携帯型情報端末に実績データを書き込むようにしている。よって、本発明によれば、実際には訪問・施術していないのに事務所側コンピュータに訪問・施術したという実績データが誤って記録されてしまうことを防ぐことができる（不正も防止できる）と共に、各患者宅に備えられたＩＤ保持手段に各施術者の訪問・施術の実績の記録が確実に残されるので、事務所側コンピュータに記録された実績データ（さらに、この事務所側コンピュータによって出力された老人保険医療費支給申請書などの帳票の内容）が正確なものかどうかを検証することが可能になる。
【００３２】
また、本発明においては、携帯型情報端末を、複数のボタンの中のどれかを押すだけで、近傍（例えば、数センチメートル内）のＩＤ保持手段との間での非接触の交信が可能で、且つ、近傍（例えば、数十メートル内）の事務所側コンピュータとの間で交信が可能な状態に移行するようにしているので、あんま・マッサージ施術者に多い視覚障害者でも、患者宅と事務所での携帯型情報端末の操作が極めて容易になる。
【００３３】
また、本発明においては、施術者が患者宅を訪問したとき、患者宅にあるＩＤカードなどのＩＤ保持手段から患者ＩＤを読み取って、それが当日のスケジュール情報の中の患者ＩＤと一致するとき、その患者ＩＤ、訪問日時、及び現在位置（患者宅の位置）の情報を事務所側コンピュータに無線送信して事務所側コンピュータに保存するようにしている。したがって、本発明によれば、施術者が実際には訪問・施術していないのに訪問・施術したという実績データが事務所側コンピュータの中に記録されてしまうという不都合を防止でき、事務所側コンピュータから出力される老人保険医療費支給申請書などの帳票の信用性を高めることができる。
【図面の簡単な説明】
【図１】本発明の実施形態１によるあんま・マッサージ・指圧・はり・きゅう等の施術管理システムの構成を説明するための概念ブロック図。
【図２】本実施形態１の動作を説明するための図。
【図３】本実施形態１の動作を説明するための図。
【図４】本実施形態１により出力される老人保険医療費支給申請書の一例を示す図。
【図５】本実施形態１で使用するＰＤＡの構成を説明するための図。
【図６】本発明の実施形態２によるあんま・マッサージ等の施術管理システムの構成を説明するための概念ブロック図。
【符号の説明】
１  事務所側パソコン
１ａ  プリンタ
２  患者側ＩＤタグ
３  施術者側ＰＤＡ
４  患者側ＩＤカード
５  携帯電話
６  公衆携帯電話網
１１，３１，５１  制御部
１２  スケジュール入力部
１３，３２，５２  スケジュール記録部
１４  訪問実績記録部
１５  帳票作成部
１７  アクセスポイント
２１  患者ＩＤ記録部
２２  訪問日時記録部
３３，５３  計時部
３４  訪問実績記録部
３５  タグリーダーライター
５４  ＧＰＳ受信機
５５  バーコードリーダ
【図１】
2004272727.tif 000003
【図２】
2004272727.tif 000004
【図３】
2004272727.tif 000005
【図４】
2004272727.tif 000006
【図５】
2004272727.tif 000007
【図６】
2004272727.tif 000008